(57)【要約】【課題】高精度な再生信号の補正を実現することを目的とする。【解決手段】光記録媒体にレーザビームを照射することにより情報の記録、再生を行うための光記録再生装置において、前記レーザビームを照射することにより、前記光記録媒体に生成された記録マーク形状から取得される再生信号の歪み補正及びノイズ低減を行う歪み補正部と、前記歪み補正部により得られる補正された再生信号に基づき、記録された情報を判定し、情報の再生を行う記録判定部とを有することにより、上記課題を解決する。【選択図】        図３
2004310922.tif 000002
【特許請求の範囲】
【請求項１】
光記録媒体にレーザビームを照射することにより情報の記録、再生を行うための光記録再生装置において、
前記レーザビームを照射することにより、前記光記録媒体に生成された記録マーク形状から取得される再生信号の歪み補正及びノイズ低減を行う歪み補正部と、
前記歪み補正部により得られる補正された再生信号に基づき、記録された情報を判定し、情報の再生を行う記録判定部とを有することを特徴とする光記録再生装置。
【請求項２】
前記歪み補正部は、
前記再生信号の波形周期に基づいて、所定の区間を抽出する区間抽出部と、
前記区間抽出部により抽出される再生信号を、設定される時間に基づいて反転させる信号反転部と、
前記区間抽出部により抽出される再生信号並びに前記信号反転部にて得られる反転再生信号を合成する合成部とを有することを特徴とする請求項１に記載の光記録再生装置。
【請求項３】
前記区間抽出部は、
前記再生信号の波形の凸部又は凹部のピークを求め、連続する２つの凸部又は凹部のピーク間において、前記再生信号の出力レベルを比較し、その大小関係から前記再生信号の区間抽出を行うことを特徴とする請求項２に記載の光記録再生装置。
【請求項４】
前記区間抽出部は、
前記再生信号において、予め設定した出力レベルに基づいて区間抽出を行うことを特徴とする請求項２に記載の光記録再生装置。
【請求項５】
前記区間抽出部は、
前記再生信号の波形の凸部又は凹部のピークを求め、連続する２つの凸部又は凹部のピーク間において、前記再生信号の区間抽出を行うことを特徴とする請求項２に記載の光記録再生装置。
【請求項６】
光記録媒体にレーザビームを照射することにより情報の記録、再生を行うための光記録再生方法において、
前記レーザビームを照射することにより、前記光記録媒体に生成された記録マーク形状から取得される再生信号の歪み補正及びノイズ低減を行う歪み補正段階を有し、
前記歪み補正段階は、
前記再生信号の波形周期に基づいて、所定の区間を抽出する区間抽出段階と、
前記区間抽出段階により抽出される再生信号を、設定される時間に基づいて反転させる信号反転段階と、
前記区間抽出段階により抽出される再生信号並びに前記信号反転段階にて得られる反転再生信号を合成する合成段階とにより歪み補正を行うことを特徴とする光記録再生方法。
【請求項７】
光記録媒体にレーザビームを照射することにより情報の記録、再生をコンピュータに実行させるためのプログラムにおいて、
前記レーザビームを照射することにより、前記光記録媒体に生成された記録マーク形状から取得される再生信号の歪み補正及びノイズ低減を行う歪み補正処理と、
前記歪み補正処理により得られる補正された再生信号に基づき、記録された情報を判定し、情報の再生を行う記録判定処理とをコンピュータに実行させるためのプログラム。
【請求項８】
前記歪み補正処理は、
前記再生信号の波形周期に基づいて、所定の区間を抽出する区間抽出処理と、
前記区間抽出処理により抽出される再生信号を、設定される時間に基づいて反転させる信号反転処理と、
前記区間抽出処理により抽出される再生信号並びに前記信号反転処理にて得られる反転再生信号を合成する合成処理とを有することを特徴とする請求項７に記載のプログラム。
【発明の詳細な説明】
【０００１】
【発明の属する技術分野】
本発明は、光記録再生装置、光記録再生方法、及びそのプログラムに係り、特に、波形歪み補正、ノイズの低減を行い高精度な記録再生を行うことができる光記録再生装置、光記録再生方法、及びそのプログラムに関する。
【０００２】
【従来の技術】
現在、ＤＶＤ−ＲＡＭ、ＤＶＤ−ＲＷ等の書き換え型光ディスクでは、ディスク基板に設けてあるトラックサーボ用の溝、いわゆるグルーブを基準として半導体レーザから出力されるレーザビームを集光し、その集光したレーザビームにより集光部の温度制御を行い、結晶と非晶質間の可逆変化による情報の記録が行われている。
【０００３】
通常、記録再生を行う光記録媒体は、結晶状態（反射率の高い状態）にあるが、レーザビームにより高い温度まで上昇させ、非晶質状態（反射率の低い状態）のマークを形成することに情報の記録を行う。また、オーバーライトの場合は、非晶質マークを結晶状態へと結晶化させることで消去を行う。
【０００４】
ここで、この非晶質マークを記録する場合には、熱の蓄積があるため、特に長いマークを記録する場合、熱の蓄積を少なくするように補償するようなマルチパルス発光やパルス状の発光を用いて熱の蓄積を補償して記録を行い、その記録マークの形状を出力の弱いレーザビームを照射した際の反射率に基づいて再生を行っている（例えば、特許文献１参照。）。
【０００５】
【特許文献１】
特開２００２−８２３８号公報
【０００６】
【発明が解決しようとする課題】
しかしながら、記録速度が速くなるにつれてマルチパルス発光も高速化しなければならず、記録を行うためのレーザビームを出力する半導体レーザの応答時間との関係より、熱の蓄積による波形歪みを補償するのが困難となる。
【０００７】
ここで、上述の内容について図を用いて説明する。図１は、レーザビームにより光記録媒体に照射されることにより生成される記録マーク形状の一例を示す図である。なお、矢印はレーザビームの照射方向を示す。図１に示すように通常、相変化型等の熱による記録をする場合、記録時に補償を行わない場合は、熱の蓄積により歪んだマーク形状（図１斜線部）になってしまう。
【０００８】
このため、図１に示すような記録膜マークを再生すると、図２に示す時間と再生信号の振幅に基づく記録時に補償を行わない再生波形の例のように、歪みの大きな再生波形を持つため波形等価等に悪影響を与えてしまい、通常、この歪んだ波形に対して等価、ＰＬＬ（Ｐｈａｓｅ  Ｌｏｃｋｅｄ  Ｌｏｏｐ）ロックを行いビット判定した場合でも再生信号は歪んでいるためビットエッジ位置の判定や波高が実際に記録したデータと再生したデータとに誤差が生じてしまう。この誤差により、特に記録再生装置の高密度化を実現している技術であるＰＲＭＬ（Ｐａｒｔｉａｌ  Ｒｅｓｐｏｎｓｅ  Ｍａｘｉｍｕｍ  Ｌｉｋｅｌｉｈｏｏｄ）を使用した記録再生技術においては、この誤差の影響が大きく記録した内容が正確に再生することができなくなってしまう。
【０００９】
本発明は、上記の点に鑑みてなされたものであり、特に信号再生側において信号の内容を補償し高精度な光信号再生を実現する光記録再生装置、光記録再生方法、及びそのプログラムを記録した記録媒体を提供することを特徴とする。
【００１０】
【課題を解決するための手段】
上記課題を解決するために、本件発明は、以下の特徴を有する課題を解決するための手段を採用している。
【００１１】
請求項１に記載された発明は、光記録媒体にレーザビームを照射することにより情報の記録、再生を行うための光記録再生装置において、前記レーザビームを照射することにより、前記光記録媒体に生成された記録マーク形状から取得される再生信号の歪み補正及びノイズ低減を行う歪み補正部と、前記歪み補正部により得られる補正された再生信号に基づき、記録された情報を判定し、情報の再生を行う記録判定部とを有することを特徴とする。
【００１２】
請求項１記載の発明によれば、波形歪み補正、ノイズの低減を行い高精度な記録再生を行うことができる。特に、信号再生側において信号の内容を補償し高精度な光信号再生を実現する。
【００１３】
請求項２に記載された発明は、前記歪み補正部は、前記再生信号の波形周期に基づいて、所定の区間を抽出する区間抽出部と、前記区間抽出部により抽出される再生信号を、設定される時間に基づいて反転させる信号反転部と、前記区間抽出部により抽出される再生信号並びに前記信号反転部にて得られる反転再生信号を合成する合成部とを有することを特徴とする。
【００１４】
請求項２記載の発明によれば、再生信号の補正を容易に行うことができる。これにより、高精度な記録再生を行うことができる。
【００１５】
請求項３に記載された発明は、前記区間抽出部は、前記再生信号の波形の凸部又は凹部のピークを求め、連続する２つの凸部又は凹部のピーク間において、前記再生信号の出力レベルを比較し、その大小関係から前記再生信号の区間抽出を行うことを特徴とする。
【００１６】
請求項３記載の発明によれば、再生信号波形における区間抽出を容易に行うことができる。
【００１７】
請求項４に記載された発明は、前記区間抽出部は、前記再生信号において、予め設定した出力レベルに基づいて区間抽出を行うことを特徴とする。
【００１８】
請求項４記載の発明によれば、再生信号波形における区間抽出を効率的に行うことができる。
【００１９】
請求項５に記載された発明は、前記区間抽出部は、前記再生信号の波形の凸部又は凹部のピークを求め、連続する２つの凸部又は凹部のピーク間において、前記再生信号の区間抽出を行うことを特徴とする。
【００２０】
請求項５記載の発明によれば、再生信号波形における区間抽出を容易に行うことができる。
【００２１】
請求項６に記載された発明は、光記録媒体にレーザビームを照射することにより情報の記録、再生を行うための光記録再生方法において、前記レーザビームを照射することにより、前記光記録媒体に生成された記録マーク形状から取得される再生信号の歪み補正及びノイズ低減を行う歪み補正段階を有し、前記歪み補正段階は、前記再生信号の波形周期に基づいて、所定の区間を抽出する区間抽出段階と、前記区間抽出段階により抽出される再生信号を、設定される時間に基づいて反転させる信号反転段階と、前記区間抽出段階により抽出される再生信号並びに前記信号反転段階にて得られる反転再生信号を合成する合成段階とにより歪み補正を行うことを特徴とする。
【００２２】
請求項６記載の発明によれば、波形歪み補正、ノイズの低減を行い高精度な記録再生を行うことができる。特に、信号再生側において信号の内容を補償し高精度な光信号再生を実現する。
【００２３】
請求項７に記載された発明は、光記録媒体にレーザビームを照射することにより情報の記録、再生をコンピュータに実行させるためのプログラムにおいて、前記レーザビームを照射することにより、前記光記録媒体に生成された記録マーク形状から取得される再生信号の歪み補正及びノイズ低減を行う歪み補正処理と、前記歪み補正処理により得られる補正された再生信号に基づき、記録された情報を判定し、情報の再生を行う記録判定処理とをコンピュータに実行させる。
【００２４】
請求項７記載の発明によれば、波形歪み補正、ノイズの低減を行い高精度な記録再生を行うことができる。特に、信号再生側において信号の内容を補償し高精度な光信号再生を実現する。
【００２５】
請求項８に記載された発明は、前記歪み補正処理は、前記再生信号の波形周期に基づいて、所定の区間を抽出する区間抽出処理と、前記区間抽出処理により抽出される再生信号を、設定される時間に基づいて反転させる信号反転処理と、前記区間抽出処理により抽出される再生信号並びに前記信号反転処理にて得られる反転再生信号を合成する合成処理とを有することを特徴とする。
【００２６】
請求項８記載の発明によれば、再生信号の補正を容易に行うことができる。これにより、高精度な記録再生を行うことができる。
【００２７】
【発明の実施の形態】
本発明は、記録マークの補償を媒体上で行うのではなく、再生信号より行うことにより、より簡便に再生信号の歪みをなくすことができる。例えば、変調符号１，７ＲＬＬ（Ｒｕｎ  Ｌｅｎｇｔｈ  Ｌｉｍｉｔｅｄ）を使用した場合、記録クロック周波数をＴとすると最小の記録マークは２Ｔ、最大の記録マークは８Ｔとなる。ここで、これらの記録マークの再生信号に対して通常の再生波形と逆時間再生波形の合成を取ることにより、実際に記録された記録マークが図１に示すような記録マークの後端部での熱蓄積によるマーク拡大（波形歪み）した状態であっても、再生波形（再生信号）を補償し、同時にあらゆる周波数を含む雑音であるホワイトノイズの成分を小さくすることができる。
【００２８】
次に、本発明の実施の形態について図を用いて説明する。図３は、本発明における光記録再生装置のブロック構成の一例を示す図である。
【００２９】
図３の光記録再生装置１は、光記録媒体１０に記録された記録マーク形状を生成し、又はマーク形状を読むためのレーザビームを照射する半導体レーザを備えた光学ヘッド部１１と、光記録媒体１０に記録させるための記録信号を生成する記録信号生成部１２と、歪み補正部１３と、二値化処理部１４と、ＰＬＬ部１５と、記録判定部１６とを有するよう構成されている。また、光記録媒体１０にはスピンドルモータ１７を有しており、光記録媒体１０はスピンドルモータ１７により中心を軸として回転させ、所望の記録、再生を実現する。
【００３０】
図３において、記録信号生成部１２は、記録する情報に基づく記録パルス信号を生成し、光記録媒体１０に記録マークを生成するために光ヘッド部１１からレーザビームを照射させる。なお、記録信号を生成して光記録媒体１０に記録させる機能については、従来の一般的な相変化型記録媒体の記録手段を用いることができる。
【００３１】
次に、本発明における光記録媒体１０に記録された記録マーク形状からデータを再生するための機能について説明する。歪み補正部１３は、光ヘッド部１１から読み込まれた受光信号を後述する抽出例に基づく信号補正手段により再生信号の歪み補正を行う。
【００３２】
ここで、再生信号は光学解像度の限界からマークの長さによって変わってきてしまう。これは公知のＯＴＦ（Ｏｐｔｉｃａｌ  Ｔｒａｎｓｆｅｒ  Ｆｕｎｃｔｉｏｎ）によるもので、周波数の高い（マークの短い）ほど再生信号振幅は小さくなる。この周波数の高い（マークの短い）信号成分の補正をするため、二値化処理部１４ではイコライザによるイコライズを行い、その後信号の二値化を行う。
【００３３】
次に、ＰＬＬ部１５は、基本周波数となる位相同期されたクロック作成を行い、記録判定部１６は、ＰＬＬ部１５により入力される位相同期されたクロックと、二値化処理部１４から入力される再生二値化信号とを比較することによりデータの内容を再生する。
【００３４】
次に、本発明における歪み補正部１３における具体的な構成内容と歪み補正の方法について図を用いて説明する。
【００３５】
図４は、本発明における歪み補正部１３のブロック構成の一例を示す図である。図４の歪み補正部１３は、区間抽出部２１と、時間調整部２２と、信号反転部２３と、合成部２４と、除算部２５とを有するよう構成されている。
【００３６】
区間抽出部２１では、光学ヘッド１１で受光した再生信号を所定の区間により補正する信号の抽出を行う。抽出された信号は、時間調整部２２と信号反転部２３とに出力する。時間調整部２２では、信号反転部２３による信号の調整が行われるまで信号を遅延しておく。信号反転部２３では、抽出した時間間隔に対する信号を予め設定される時間を基準にして反転させる。例えば、抽出された再生信号の区間における最初の時間ｔ１及び次の時間ｔ２において、その中間の時間ｔ３（ｔ３＝（ｔ１＋ｔ２）／２）を基準として、抽出区間の信号を反転させる。
【００３７】
時間調整部２２及び信号反転部２３により出力される信号は、合成部２４にて２つの信号について時間を基準に加算して合成されて除算部２５に出力される。除算部２５では、合成部２４から受けた信号を２で除算処理を行い、半分のレベルにして実際の波形位置に戻す（置換する）。上述の処理において生成された信号を、抽出区間に当て嵌めることにより、再生信号の歪み補正を行う。
【００３８】
これにより、波形歪みを補償することができ、高精度な再生を行うことができる。なお、入力した信号を２で除算処理を行う除算部２５の処理においては、合成部２４の後でなくてもよく、区間抽出部２１の前あるいは後、時間調整部２２及び信号反転部２３の前あるいは後、又は合成部２４の前に設けてもよい。
【００３９】
次に、区間抽出部２１における区間抽出方法について図を用いて説明する。
【００４０】
＜抽出例１：振幅合わせ抽出＞
まず、抽出された信号における振幅合わせ信号の抽出方法について説明する。これは、再生信号の凸部のピークを検索し、ピーク値の時間とピーク値とを記録する。次に、そのピーク値の大小関係を隣のピークと比較する。比較したピーク値の大小関係から小さいピーク値を基準に比較した大きいピーク値を有する波形側に水平な線を引き、その交点をｘとする。この交点ｘと先程検索した小さいピーク値の間の波形を抜き出すことで波形の抽出を行う。
【００４１】
ここで、上述の内容を図を用いて詳細に説明する。図５は、本発明における振幅合わせによる区間抽出の一例の概略図である。ここで、図５では、再生信号における抽出方法の内容がより明確にできるよう波形信号の一例を示し、更に各処理ステップにおける波形の変化を示している。
【００４２】
図５において、まず、再生信号の２つの連続した信号の振幅のピーク検出を行い（Ｓ０１）、Ｓ０１にて検出した２つの連続したピーク値の大小比較を行う（Ｓ０２）。次に、ピーク値の小さい方からピーク値の大きい方に対して、ピーク値の小さい値と同一の出力レベルとなる波形の位置を取得するために水平線を引く（Ｓ０３）。Ｓ０３に水平線と信号との交点（ｘ）に対する時間を抽出区間として決定し（Ｓ０４）、信号波形の抽出を行う（Ｓ０５）。
【００４３】
上述にて取得した抽出信号を抽出した時間に対して再生信号を反転させ、通常の再生信号と合成し、更に２で除算することにより容易に再生信号の補正を行うことができる。なお、上述した抽出内容は、再生信号波形全てについて行う。つまり、凸部が複数ある場合は、連続する２つの凸部同士で補正が行われることになる。
【００４４】
更に、上述の抽出例１では、谷部（凹部）についての補正を行う一例について説明したが、山部（凸部）に対する補正の場合は、再生信号における凹部のピーク値同士で比較を行い、凹部の小さい方を基準に大きい方の波形に水平線を引き交点（ｘ）に対する時間までを抽出区間とすることで、上述と同様の区間抽出の補正を可能にする。
【００４５】
ここで、抽出例１における抽出から補正手順までの一連の処理手順についてフローチャートを用いて説明する。
【００４６】
図６は、本発明における信号波形の谷部分を補正するフローチャートである。
【００４７】
まず、区間抽出部２１は、光ヘッド部１１からの再生信号を入力し（Ｓ１１）、次に再生信号内で凸部のピーク値の検出を行う（Ｓ１２）。このとき、各ピーク値になるときの時間に関する情報も記録しておく。次に、連続する２つピーク値の信号についてのピーク値の比較を行う（Ｓ１３）。
【００４８】
Ｓ１３において、１つ前の凸部ピーク値ａと現在の比較における基準となる凸部ｂとの比較を行い、１つ前の凸部ピーク値ａの値が大きかった場合（Ｓ１３において、ＹＥＳ）、凸部ｂの時間以前で再生信号との最初の交点ｘを抽出する。つまり、凸部ｂに対する時間以前の再生信号で、凸部ｂのレベルと同一のレベルとなる再生信号の時間を抽出する（Ｓ１４）。次に、信号反転部２３は、凸部ピーク値ｂと交点ｘ間における再生信号を反転させる（Ｓ１５）。反転は、区間の中心時間を基準にするため、基準時間に対して線対象の波形を生成することになる。
【００４９】
また、現在の比較の基準となる凸部ピーク値ｂが１つ前のピーク値ａ以上であった場合（Ｓ１３において、ＮＯ）、１つ前のピーク凸部ａの時間以降で再生信号との最初の交点ｘを抽出する。つまり、凸部ａに対応する時間以降の再生信号で、凸部ａのレベルと同一のレベルとなる再生信号の時間を抽出する（Ｓ１６）。次に、信号反転部２３は、１つ前の凸部ピーク値ａと交点ｘ間における再生信号を反転させる（Ｓ１７）。
【００５０】
Ｓ１５又はＳ１７の処理が終了後、合成部２４は、時間調整部２２にて蓄積されている抽出区間の再生信号と、信号反転部２３にて反転された再生信号を加算による合成を行う（Ｓ１８）。次に、除算部２５がＳ１８にて得られた加算（合成）波形のレベルを半分（１／２）のレベルに除算処理を行い（Ｓ１９）、加算波形を区間抽出の位置に対応させて置換を行う（Ｓ２０）。上述の処理をＳ１２で検出した全部の凸部について処理を行ったかを判断し（Ｓ２１）、全部の凸部が終了していない場合（Ｓ２１において、ＮＯ）、１つ後の凸部ピーク値を基準として（Ｓ２２）、Ｓ１３以降のステップを実行する。また、全凸部について処理が終了している場合（Ｓ２１において、ＹＥＳ）、処理を終了する。
【００５１】
上述したような手順により補正を行うことで、信号再生側において信号の内容を補償し高精度な光信号再生を行うことができる。ここで、上述の抽出例を用いて補正される再生信号の例を図を用いて説明する。
【００５２】
図７は、本発明の抽出例１における抽出手順を用いて補正した結果の一例を示す図である。ここで図７（ａ）は、元の再生信号を示し、図７（ｂ）は、元の再生信号と、反転波形と、補正された波形とを示し、図７（ｃ）は補正された再生信号を置換した波形を示している。なお、図７におけるグラフの横軸が時間、縦軸が振幅を示している。
【００５３】
図７（ａ）では、上述したように連続する凸部のレベルの大きさを比較し、小さい方の凸部のレベルを基準として、同一レベルとなる再生信号部分（ｘ）と小さい方の凸部のピーク値との区間を抽出し、図７（ｂ）に示すように区間抽出における時間を基準として元の波形と反転波形との合成処理、及び除算処理を行い、抽出した時間に対応させてその再生信号を補正後の再生信号に置換することにより、図７（ｃ）に示すような波形を得ることができる。
【００５４】
また、図６に示す手順は、Ｓ１２にて最初に凸部（山部）を検出することによる凹部（谷部）の波形の補正を行ったが、Ｓ１２にて最初に凹部を検出し、検出した凹部に基づき、凸部を有する波形信号を補正することも容易に実現できる。
【００５５】
ここで、上述の抽出例１に示す振幅合わせ法を用いた場合、無処理の区間が波形上にできるが、その区間に関して、区間内にピークが存在する場合、更にもう一回同様の処理を行うことにより、波形の補正を行うことができる。また、区間内にピークが存在しない場合は区間内を直線で結ぶことにより波形の改善が可能である。
【００５６】
また、この場合のノイズ（主に内部雑音）は、ランダムであること、また時間的に平均すると一定の値になる性質があるため、２回のアベレージングをしたのと同じ効果により、ＳＮ比を改善することもできる。
【００５７】
＜抽出例２：スライスレベル抽出＞
次に、抽出された信号におけるスライスレベルによる波形の抽出方法について説明する。これは、再生信号の振幅に応じたスライスレベルを予め設定し、そのレベル毎に時間的な区分を行うものである。なお、スライスレベルは振幅の大きさにより設定することができ、また、再生波形全てについて同一のレベルとしてもよく、また、再生波形の周波数の帯域、あるいは時間等の範囲、又は所望する精度を基準としてスライスレベルを夫々設定してもよい。
【００５８】
ここで、上述の内容について図を用いて詳細に説明する。図８は、本発明におけるスライスレベルを用いた区間抽出の一例の概略図である。ここで、図８では、再生信号における抽出方法の内容がより明確にできるよう信号の一例を示し、更に各処理ステップにおける波形信号の変化を示している。
【００５９】
図８において、まず、再生信号に対するスライスレベルを設定し（Ｓ８１）、次に、設定されたスライスレベルに基づいて上波形、下波形を順次抽出して区間の選定を行う（Ｓ８２）。次に、Ｓ８２にて選定された波形に基づいて波形抽出を行う（Ｓ８３）。
【００６０】
上述した抽出例２にて取得した抽出信号を抽出した時間に対して再生信号を反転させ、元の再生信号と合成し、２で除算する処理を行うことにより容易に再生信号の補正を行うことができる。なお、上述した抽出内容は、再生信号波形全てについて行う。また、この場合は、山部、谷部とも連続して容易に取得することができ、更に連続して信号の補正を行うことができるため、効率的で高精度な補正を行うことができ、再生信号の記録判定を実現することができる。
【００６１】
＜抽出例３：ピーク間抽出＞
次に、抽出された信号におけるピーク間による波形の抽出方法について説明する。これは、抽出例１のＳ０１のステップで行われたピーク値の検出した結果をそのまま利用し、検出したピーク間の時間に基づく再生信号を抽出するものである。
【００６２】
ここで、上述の内容について図を用いて詳細に説明する。図９は、本発明におけるピーク間による区間抽出の一例の概略図である。ここで、図９では、山部のピーク値を基準に波形の抽出を行うが、谷部のピーク値を基準として波形の抽出を行ってもよい。
【００６３】
図９において、まず、再生信号に対してＳ０１と同様にピーク値の検出を行い（Ｓ９１）、次に、連続するピーク間での区間を決定する（Ｓ９２）。次に、Ｓ９２にて決定された波形に基づいて波形抽出を行う（Ｓ９３）。
【００６４】
上述した抽出例３にて取得した抽出信号を抽出した時間に対して再生信号を反転させ、元の再生信号と合成し、２で除算する処理を行うことにより容易に再生信号の補正を行うことができる。なお、上述した抽出内容は、再生信号波形全てについて行う。また、この場合は、山部、谷部とも連続して容易に取得することができるため、効率的で高精度な補正を行うことができ、再生信号の記録判定を実現することができる。
【００６５】
なお、上述の抽出例１〜３は個々に実施してもよく、組み合わせて実施してもよい。
【００６６】
ここで、上述の記録再生装置１ような専用の装置構成により本発明における再生信号の歪み補正による補償を行うこともできるが、上述した再生信号の波形抽出ステップ及び再生信号の補正ステップをコンピュータに実行させることができる実行プログラム（波形抽出プログラム、補正プログラム）を生成し、例えば、汎用のパーソナルコンピュータ、ワークステーション等にインストールすることにより本発明における再生信号の補正が容易に実行可能となる。
【００６７】
ここで、本発明における実行可能なコンピュータのハードウェア構成例について図を用いて説明する。図１０は、本発明における再生信号の補正が実現可能なハードウェア構成の一例を示す図である。
【００６８】
図１０におけるコンピュータ本体には、入力装置３１と、出力装置３２と、ドライブ装置３３と、補助記憶装置３４と、メモリ装置３５と、各種制御を行うＣＰＵ（Ｃｅｎｔｒａｌ  Ｐｒｏｃｅｓｓｉｎｇ  Ｕｎｉｔ）３６と、ネットワーク接続装置３７とを有するよう構成されており、これらはシステムバスＢで相互に接続されている。
【００６９】
入力装置３１は、使用者が操作するキーボード及びマウス等のポインティングデバイスを有しており、使用者からのプログラムの実行等、各種操作信号を入力する。出力装置３２は、本発明における再生信号の歪み補正による波形の補償を行うためのコンピュータ本体を操作するに必要な各種ウィンドウやデータ等を表示するディスプレイを有し、ＣＰＵ３６に有する制御プログラムに基づいてプログラム実行結果等を表示する。
【００７０】
ここで、本発明において、コンピュータ本体にインストールされる実行プログラムは、例えば、ＣＤ−ＲＯＭ等の記録媒体３８等により提供される。プログラムを記録した記録媒体３８はドライブ装置３３にセット可能であり、記憶媒体３８に含まれる実行プログラムが、記録媒体３８からドライブ装置３３を介して補助記憶装置３４にインストールされる。また、ドライブ装置３３は、光ヘッドを有し、光記録媒体１０をセットしてＣＰＵ３６の制御により光記録媒体に対して記録、再生を行うことができる。補助記憶装置３４は、ハードディスク等のストレージ手段であり、本発明における実行プログラムや、コンピュータに設けられた制御プログラムの他に、ドライブ装置３３から読み取られる光記録媒体からの再生信号を蓄積し、必要に応じて入出力を行うことができる。更に、実行プログラムにより補正された再生信号を記憶することもできる。
【００７１】
ＣＰＵ３６は、ＯＳ（Ｏｐｅｒａｔｉｎｇ  Ｓｙｓｔｅｍ）等の制御プログラム、メモリ装置３５により読み出され格納されている実行プログラムに基づいて、各種演算や各ハードウェア構成部とのデータの入出力等、コンピュータ全体の処理を制御することにより、本発明における再生信号の抽出を行う処理、抽出された再生信号から信号波形の歪みの補正を行う処理、補正した信号を元の時間における波形位置に戻す処理等を実現している。また、プログラムの実行中に必要な各種情報は、補助記憶装置３４から取得することができ、また格納することもできる。
【００７２】
ネットワーク接続装置３７は、通信ネットワーク等と接続することにより、再生信号の抽出手順を規定したプログラム、再生信号を補正する波形補償手順を規定したプログラムを他の端末から取得することができ、また上述の規定したプログラムを実行することで得られた情報若しくはプログラム自体を他の端末等に提供することができる。
【００７３】
ドライブ装置３３は、図３における光学ヘッド部１１及びスピンドルモータ１７における機能を実現し、ＣＰＵ３６は、本発明における実行プログラム及び制御プログラムにより、記録信号生成部１２と、歪み補正部１３と、二値化処理部１４と、ＰＬＬ部１５と、記録判定部１６とにおける各処理を実現することができる。
【００７４】
なお、本発明における再生信号を補正するためのプログラムはＣＤ−ＲＯＭ等の持ち運び可能な記録媒体３８に格納することにより任意の端末で実行することができる。上述したようなハードウェア構成により自動的に且つ均質な再生信号の歪み補正を行うことができる。
【００７５】
上述したように本発明によれば、波形歪み補正、ノイズの低減を行い高精度な記録再生を行うことができる。また、相変化型光ディスクで補正を行うことにより、通常、記録するためのレーザビームにより記録補償していた波形の歪みを記録側で補償することなく、記録し再生側の信号処理のみにおいて補正することができ、更に再生信号の波形を補正することでホワイトノイズを低減することができる。
【００７６】
これにより、特に、書き換え可能な相変化型光メモリ媒体に対して煩雑な記録補償を簡便に決定することを特長とするもので、画像や音声、コンピュータ等の大容量メモリとして利用できる。また、この発明の光メモリーでは、相変化記録媒体の書き込み時の記録補償をなくすことが可能であり、高速なマルチパルス変調ドライバが不要となる。
【００７７】
以上本発明の好ましい実施例について詳述したが、本発明は係る特定の実施形態に限定されるものではなく、特許請求の範囲に記載された本発明の要旨の範囲内において、種々の変形、変更が可能である。
【００７８】
【発明の効果】
上述の如く本発明によれば、特に信号再生側において信号の内容を補償し高精度な光信号再生を実現する。
【図面の簡単な説明】
【図１】レーザビームにより光記録媒体に照射されることにより生成される記録マーク形状の一例を示す図である。
【図２】記録時に補償を行わない場合における再生波形例を示す図である。
【図３】本発明における光記録再生装置のブロック構成の一例を示す図である。
【図４】本発明における歪み補正部１３のブロック構成の一例を示す図である。
【図５】図５は、本発明における振幅合わせによる区間抽出の一例の概略図である。
【図６】本発明における信号波形の谷部分を補正するフローチャートである。
【図７】本発明の抽出例１における抽出手順を用いて補正した結果の一例を示す図である。
【図８】本発明におけるスライスレベルを用いた区間抽出の一例の概略図である。
【図９】本発明におけるピーク間による区間抽出の一例の概略図である。
【図１０】本発明における再生信号の補正が実現可能なハードウェア構成の一例を示す図である。
【符号の説明】
１  光記録再生装置
１０  光記録媒体
１１  光学ヘッド部
１２  記録信号生成部
１３  歪み補正部
１４  二値化処理部
１５  ＰＬＬ部
１６  記録判定部
１７  スピンドルモータ
２１  区間抽出部
２２  時間調整部
２３  信号反転部
２４  合成部
２５  除算部
３１  入力装置
３２  出力装置
３３  ドライブ装置
３４  補助記憶装置
３５  メモリ装置
３６  ＣＰＵ
３７  ネットワーク接続装置
３８  記録媒体
【図１】
2004310922.tif 000003
【図２】
2004310922.tif 000004
【図３】
2004310922.tif 000005
【図４】
2004310922.tif 000006
【図５】
2004310922.tif 000007
【図６】
2004310922.tif 000008
【図７】
2004310922.tif 000009
【図８】
2004310922.tif 000010
【図９】
2004310922.tif 000011
【図１０】
2004310922.tif 000012